(57)【要約】      （修正有）【課題】日常的に眉メイクを行う人がバランスのとれた美しい眉を手軽に描くことを可能にする、操作性と視認性に優れた眉描補助具を提供する。【解決手段】眉描補助具Ａは、棒状体１を備え、該棒状体１の一端部側に設けられた手持ち部２と、該手持ち部２の側から棒状体１の他端部側に向けて延設された目盛り部３と、を少なくとも備える。手持ち部２を備えることにより、片手でつまむだけで眉描補助具Ａを保持できるため、操作性に優れ、位置を確認しながら眉を描くことを可能とする。更に、目盛り部３を設けることで、バランスのとれた美しい眉を描くことを可能にする。【選択図】図１
0003227577.tif 000002
【実用新案登録請求の範囲】
【請求項１】
眉を描く際に使用される道具であり、棒状体を備え、該棒状体の一端部側に設けられた手持ち部と、該手持ち部の側から前記棒状体の他端部側に向けて延設された目盛り部と、を少なくとも備える、眉描補助具。    
【請求項２】
前記他端部側の先端部に、該先端部の視認性を高めるための目印部が設けられている、請求項１に記載の眉描補助具。
【請求項３】
前記目印部は、前記目盛り部と間隔を開けることなく隣接して設けられている、請求項２に記載の眉描補助具。
【請求項４】
前記目印部は、前記目盛り部の前記先端部側の表示領域に、他の表示領域と識別可能に設けられている、請求項２に記載の眉描補助具。
【請求項５】
前記目盛り部が所定間隔で色分け表示されている、請求項1から４のいずれか一項に記載の眉描補助具。
【請求項６】
前記手持ち部には、少なくとも一つの扁平面が設けられており、
前記扁平面と同じ方向を向くように前記目盛り部が配置されている、請求項１から５のいずれか一項に記載の眉描補助具。
【請求項７】
前記扁平面は、前記手持ち部の表裏関係にある対向領域にそれぞれ形成されており、各扁平面と同じ方向を向くように前記目盛り部がそれぞれ設けられている、請求項６に記載の眉描補助具。
【請求項８】
前記目盛り部は、該目盛り部に表示されている目盛りの位置を特定可能な標識を少なくとも一つ備える、請求項１から７のいずれか一項に記載の眉描補助具。
【請求項９】
請求項１から８のいずれか一項に記載の眉描補助具の構成を備える、眉描具。
【請求項１０】
請求項９に記載した眉描具が、化粧筆、化粧ブラシ、ペンシル型アイブローのいずれかである、眉描具。
【考案の詳細な説明】
【技術分野】
【０００１】
本考案は、顔に眉を描く際に、バランスのとれた眉の配置や形状を決めるための眉描補助具、並びに眉描具に関する。
【背景技術】
【０００２】
眉は人の顔の第一印象を決める上で重要なポイントになることが分かってきており、このため、近年、化粧業界等において眉メイクは注目を集めている。しかし、個人の顔のタイプや好みは千差万別であり、バランスの取れた眉を描くことは困難である。
【０００３】
バランスの取れた眉を描くためには、眉間側から眉の始点となる眉頭、眉の頂点となる眉山、眉の終点となる眉尻を含む三点（以下、基準三点という。）の位置を、目や鼻のパーツからの距離を測ることにより、適切に見出すことが重要である。この基準三点に基づいて眉を描写することで、バランスの取れた美しい眉を形成することができる。
【０００４】
また、個人が日常的に眉メイクを行う際、前記基準三点の把握は、眉を描くことと同時進行で行うことが多い。したがって、眉の形や配置を決めるための眉描補助具は、誰が使用しても眉を描くべき位置の確認が容易であり、その操作も簡単であることが求められる。
【０００５】
例えば、特許文献１に記載の眉描補助具は、本体アーム部に目盛り部を有し、前記三点の位置決めを、各人の顔の大きさ及び目や鼻等の位置、大きさ、形状に合わせて左右同時に行うことを可能にしている。さらに、眉テンプレートを利用することで、眉を描くことを容易にしている。
【０００６】
また、特許文献２に記載の眉描補助具は、垂直支柱部材、傾斜支柱部材と水平連結部材を有し、眉頭と眉尻の位置決めを容易に行うことを可能にしている。また、眉毛が完全に抜け落ちて眉頭や眉尻の位置がわからなくなったような人々に対しても、バランスの良い眉を簡単に描けるという優れた効果を発揮する。さらに、眉テンプレートにメッシュ部材を配設することで、メッシュ部材がアイブローの筆圧をガードするとともにベタ塗りの防止をし、アイブローで描かれる眉型が不自然に濃くならないという優れた効果を発揮している。
【先行技術文献】
【特許文献】
【０００７】
【特許文献１】特開２０１２‐５５３８８号公報
【特許文献２】特開２０１０‐１８４００８号公報
【考案の概要】
【考案が解決しようとする課題】
【０００８】
しかしながら、上記の特許文献１及び特許文献２に示すような眉描補助具は、両手で操作する手順が必要となってしまうため、操作性があまり良くないという問題があった。また、眉頭・眉山・眉尻の基準三点の位置決めと、眉を描く操作とを同時に行うことが難しいため、思い通りの眉を描くのには、手間がかかるという課題があった。
【０００９】
そこで、本考案は、片方の手の指でつまむように持って操作でき、かつ使用者に適した眉を描くことを可能にする眉描補助具、並びに眉描具を提供することを目的とする。
【課題を解決するための手段】
【００１０】
本考案は、眉を描く際に使用される道具であり、棒状体を備え、該棒状体の一端部側に設けられた手持ち部と、該手持ち部の側から前記棒状体の他端部側に向けて延設された目盛り部と、を少なくとも備える、眉描補助具を提供する。本考案は、前記他端部側の先端部に、該先端部の視認性を高めるための目印部が設けられていてもよい。また、前記目印部は、前記目盛り部と間隔を開けることなく隣接して設けられていてもよい。また、前記目印部は、前記目盛り部の前記先端部側の表示領域に、他の表示領域と識別可能に設けられていてもよい。加えて、前記目盛り部が所定間隔で色分け表示されていてもよい。さらに、前記手持ち部には、少なくとも一つの扁平面が設けられており、前記扁平面と同じ方向を向くように前記目盛り部が配置されていてもよい。前記扁平面は、前記手持ち部の表裏関係にある対向領域にそれぞれ形成されており、各扁平面と同じ方向を向くように前記目盛り部がそれぞれ設けられていてもよい。更に、前記目盛り部は、該目盛り部に表示されている目盛りの位置を特定可能な標識を少なくとも一つ備えていてもよい。本考案に係る眉描補助具の構成は、眉描具に形成してもよい。これらの眉描具が、化粧筆、化粧ブラシ、ペンシル型アイブローのいずれかであってもよい。
【考案の効果】
【００１１】
本考案によれば、簡単な片手操作で、眉の描くべき位置や眉の長さを確認しながら眉を描くことができるので、それぞれの使用者に適したバランスのとれた美しい眉を描くことを可能にする。
【図面の簡単な説明】
【００１２】
【図１】本考案に係る眉描補助具の第一実施形態例（Ａ１）の外観を表す図である。
【図２】本考案に係る眉描補助具の使用例（眉頭Ｍａの描き方）について第一実施形態例（Ａ１）を用いて説明する図である。
【図３】本考案に係る眉描補助具の使用例（眉山Ｍｂの描き方）について第一実施形態例（Ａ１）を用いて説明する図である。
【図４】本考案に係る眉描補助具の使用例（眉尻Ｍｃの描き方）について第一実施形態例（Ａ１）を用いて説明する図である。
【図５】本考案に係る眉描補助具の使用例（眉尻Ｍｃの別の描き方）について第一実施形態例（Ａ１）を用いて説明する図である。
【図６】本考案に係る眉描補助具の使用例（眉尻Ｍｃの更に別の描き方）について第一実施形態例（Ａ１）を用いて説明する図である。
【図７】本考案に係る眉描補助具の第二実施形態例（Ａ２）の外観を表す図である。
【図８】第二実施形態例（Ａ２）における棒状体１の他端部（先端部）１Ｂ側の先端領域を拡大した図である。
【図９】本考案に係る眉描補助具の第三実施形態例（Ａ３）の外観を表す図である。
【図１０】本考案に係る眉描補助具の第四実施形態例（Ａ４）の外観を表す図である。
【図１１】本考案に係る眉描補助具の第五実施形態例（Ａ５）の外観を表す図である。
【図１２】本考案に係る眉描補助具の第六実施形態例（Ａ６）の外観を表す図である。
【図１３】本考案に係る眉描補助具の第七実施形態例（Ａ７）の外観を表す図である。
【図１４】本考案に係る眉描補助具の第八実施形態例（Ａ８）の外観を表す図である。
【図１５】本考案に係る眉描補助具の第八実施形態例（Ａ８）の使用例について説明する図である。
【図１６】本考案に係る眉描補助具の第八実施形態例（Ａ８）について、眉頭Ｍａを決める際の使用例を説明する図である。
【図１７】図１６は、本考案に係る眉描具Ｂの実施形態例を説明する図である。
【考案を実施するための形態】
【００１３】
以下、添付した図面を参照して、本考案に係る眉描補助具の代表的な実施形態例について具体的に説明する。なお、本考案の概念は、以下に説明する実施形態例によって狭く限定されることはない。各図面において、共通する部分については、同じ符号を用いて説明する。
【００１４】
＜第一実施形態＞
まず、図１は、本考案に係る眉描補助具Ａの第一実施形態例（符号Ａ１）の外観を表す図である。この第一実施形態例である眉描補助具Ａ１は、符号１で示す棒状体を備えている。さらに、眉描補助具Ａ１は、この棒状体１の一端部１Ａ側に設けられた手持ち部２と、該手持ち部２の側から前記棒状体１の他端部（先端部）１Ｂ側に向けて延設された目盛り部３と、を備えている。また、図１に示す符号Ｈは使用者の手であって、眉描補助具Ａ本体の手持ち部２を人差し指と親指でつまんで使用した状態を示しており、この点、以下、同様である。
【００１５】
図１においては、前記棒状体１の形状が長尺の円柱体で表されているが、必ずしもこの円柱体の形状に限られない。例えば、棒状体１は、楕円柱体、四角柱体、若しくは長尺平板状体などであってもよい。また、前記棒状体１の材質については、特に限定されないが、一例を挙げると、木、合成樹脂、金属、紙などを自由に用いることができる。
【００１６】
この棒状体１のサイズは、特に限定はされないが、例えば、一般的な眉描用メイク用具の長さと同程度であると利便性が良いという理由により、長さは１０．０〜１７．５ｃｍ程度が望ましい。また、棒状体１の直径又は幅は、前記棒状体１の太さが前記基準三点の位置決める際に邪魔にならない程度の直径又は幅が望まれるという理由により、１．５ｃｍ以下、さらに望ましくは１．０ｃｍ以下が好ましい。
【００１７】
更に、前記棒状体１の一端部１Ａ側に形成される前記手持ち部２は、眉描補助具Ａ１を使用する際に、使用者が手で持つ部分として機能し、一般には、使用者の手Ｈの指（例えば、親指と、人差し指又は中指）でつまむようにして支持される部分となる。この手持ち部２は、前記棒状体１自体を加工して形成してもよいし、該棒状体１とは別体に形成した部品を接着、嵌着等により結合させて形成してもよい。なお、この手持ち部２の長さについては、特に限定されないが、指でつまむことができる程度の長さが確保されていればよく、例えば、１．０〜３．０ｃｍ程度が望ましい。
【００１８】
目盛り部３は、棒状体１に「定規」としての役割を担わせるために、該棒状体１の所定領域において長さ（距離）の目盛を表示させた部位である。例えば、目盛り部３には、最小１ｍｍ単位の目盛が表示されていて、かつ１ｃｍ単位の間隔も視認し易く目盛を表示する。この目盛り部３の全長は、特に限定はされないが、前記基準三点の位置決めをする際に少なくとも小鼻ｎの外側部分との接点ｎ１から眉頭Ｍａまでの距離が測れる程度が必要であるとの理由により、少なくとも１０．０ｃｍ以上を確保するのが望ましい。
【００１９】
次に、図２から図６に基づいて、本考案に係る眉描き補助具Ａの使用方法について、第一実施形態例の眉描補助具Ａ１を例に挙げて、以下に説明する。
【００２０】
まず、図２では、眉間側の眉Ｍの先端である眉頭Ｍａの位置を決める方法が示されている。この図２に表すような方法では、顔に眉Ｍを描くのに先立って、まず、眉頭Ｍａの位置を決める。この際には、前記眉描補助具Ａ１を縦に（顔の上下方向に）真っ直ぐ持って、鼻の左右に膨らんだ部分である小鼻ｎの外側部分との接点ｎ１にその棒状体１の直線ラインを合わせる。そうすると、前記棒状体１に沿うライン上に眉頭Ｍａの好適な位置を見出すことができる。
【００２１】
ここで、眉の描き方は個人の顔のバランスや好みや流行によって多種多様である。したがって、眉頭Ｍａの位置決め方法については、図２に示される方法に必ずしも限定されない。例えば、図示はしないが、図２と同様に、小鼻ｎの水平方向の中心ｎ２に棒状体１が重なるように合わせ、このときの棒状体１からまっすぐ上方へ延びる延長線上、あるいは棒状体１の他端部（先端部）１Ｂに眉頭Ｍａの好適な位置を見出してもよい。あるいは、図示はしないが、棒状体１を小鼻ｎとの上記接点ｎ１から目頭Ｅ１に向けて合わせることにより、該棒状体１からまっすぐ上方へ延びる延長線上に、あるいは棒状体１の他端部（先端部）１Ｂに、眉頭Ｍａの位置を見出してもよい。
【００２２】
次に図３は、眉描補助具Ａ１を用いて、眉Ｍの頂点位置である眉山Ｍｂの位置を決める方法の一例を説明するための図である。この図３に表すように、眉描補助具Ａ１を黒目の端Ｅ２ａから縦に真っ直ぐ合わせた延長線上に眉山Ｍｂの好適な位置を見出すことができる。なお、眉山Ｍｂの位置決め方法については、この図３に示した方法に限られない。例えば、眉描補助具Ａ１の目盛り部３で眉Ｍの全長を測り、眉頭Ｍａから眉Ｍの全長の２／３に相当する距離に位置する点に眉山Ｍｂの位置を見出すこともできる。
【００２３】
続いて、図４は、眉描補助具Ａ１を用いて、眉Ｍの最も耳側に位置する眉尻Ｍｃの位置を決める方法の一例を説明するための図である。この図４に示すように、眉描補助具Ａ１を小鼻ｎとの上記接点ｎ１から目尻Ｅ３を通る位置に合わせる。眉尻Ｍｃの好適な位置は、眉描補助具Ａ１の棒状体１の延長線上、あるいは該棒状体１の他端部（先端部）１Ｂ付近に見出すことができる。
【００２４】
また、眉尻Ｍｃは、眉頭Ｍａと顔正面視左右方向に同じ高さ（位置）にすると、眉Ｍの全体のバランスが良くなる。具体的には、図５に示すように、予め定めた眉頭Ｍａから前記左右方向に水平に眉描補助具Ａ１を合わせた状態で、眉尻Ｍｃの位置を決める方法を採用することもできる。
【００２５】
さらに、使用者が短い眉を好む場合は、上記以外にも眉尻Ｍｃを決める方法例がある。図６に示すように、眉描補助具Ａ１を口角の端Ｋから目尻Ｅ３を通る位置に合わせる。眉尻Ｍｃの好適な位置は、眉描補助具Ａ１の棒状体１の延長線上、あるいは該棒状体１の他端部（先端部）１Ｂ付近に見出すことができる。
【００２６】
このように、眉描補助具Ａ１は、眉Ｍを描くときに重要な眉頭Ｍａ、眉山Ｍｂ、眉尻Ｍｃという重要な基準三点を見出すことが非常に容易になる。そして、前記眉描補助具Ａ１は、以下で説明するような実施形態例を採用することにより、前記棒状体１の他端部（先端部）１Ｂや前記目盛り部３の視認性や前記棒状体１の操作性を向上させて、より効果的に眉Ｍを描くことを可能にする。
【００２７】
＜第二実施形態＞
図７は、本考案に係る眉描補助具の第二実施形態例（符号Ａ２）の外観を表す図である。この第二実施形態例である眉描補助具Ａ２は、既述した第一実施形態例（眉描補助具Ａ１）の基本的な構成、即ち、棒状体１、手持ち部２、目盛り部３を備えており、かつ該目盛り部３のさらに先に（棒状体１の他端部（先端部）１Ｂ側に）、符号４で示す目印部が設けられていることが特徴である。
【００２８】
前記目印部４が設けられている眉描補助具Ａ２は、前記棒状体１の他端部（先端部）１Ｂの位置の視認性を顕著に高めることができる。このため、使用者は、眉頭Ｍａ、眉山Ｍｂ、眉尻Ｍｃの基準三点の位置を一層容易に把握し、目で特定できるようになる。
【００２９】
図７に示す眉描補助具Ａ２おいては、目印部４が球状に形成されている例を示しているが、必ずしもこの形状に限定されない。例えば、この目印部４の形状は、円盤状、三角柱状、四角柱状、矢印形状等々、自由に選択することができる。
【００３０】
目印部４は、棒状体１を形成する材料の先端部を切削等して、所定の形状に形成してもよい。または、棒状体１とは別体に成形した目印部４を、前記棒状体１に接着、嵌着等させて一体化してもよい。あるいは、棒状体１の他端部（先端部）１Ｂに目立つ色（例えば、赤色）を塗布等して付すことにより目印部４を形成し、前記他端部（先端部）１Ｂの視認性を高めるようにしてもよい。
【００３１】
ここで、図８においては、第二実施形態例Ａ２の棒状体１の他端部（先端部）１Ｂ側の先端領域を拡大して示す。この図８に示すように、目印部４は、目盛り部３と間隔を空けずに設けてもよい。即ち、目印部４は、目盛り部３に隣接して（直接接して）設けてもよい。このような構成によって、目印部４は、前記棒状体１の他端部（先端部）１Ｂの位置の視認性を向上させることに寄与するとともに、目印部４は、目盛り部３で距離を測定するときの略基準点としての役割を果たすことにもなるので、この点で大変便利である。
【００３２】
＜第三実施形態＞
図９は、本考案に係る眉描補助具の第三実施形態例（符号Ａ３）の外観を表す図である。この第三実施形態例である眉描補助具Ａ３は、上記した目印部４が、棒状体１の他端部（先端部）１Ｂ側の目盛り部３の表示領域の中に、他の表示領域と識別可能に設けられている構成を備えていることが特徴である。
【００３３】
前記構成についてより具体的に説明すると、眉描補助具Ａ３には、目盛り部３の目盛り表示領域の中に目印部４が設けられている。例えば、眉描補助具Ａ３では、棒状体１の他端部（先端部）１Ｂ側の目盛り部３の０．５〜１．０ｃｍ分の領域に、この領域の目盛り表示がそのまま視認できるようにした状態で、それ以外の目盛り表示領域とは異なる目立つ色（例えば、赤色）を付すようにする。この構成によって、前記目印部４は、棒状体１の他端部（先端部）１Ｂの位置の視認性を上げることに寄与するだけでなく、該目印部４の先端が目盛り部３で距離を測定するときの正確な基準点としての役割も果たすことにもなり、一層便利である。
【００３４】
なお、特に図示はしないが、図７に示すような所定の立体形状（例えば、球状）に形成された目印部４を図９に示した目印部４と同様の位置、即ち目盛り部３の先端領域として設けてもよい。この際には、目印部４の長さを正確に決めておくようにし、例えば、その長さを０．５ｃｍとした時には、該目印部４に続いて０．５ｃｍ以降の目盛り表示が手持ち部２に至るまで表示されるようにする。このような構成では、目印部４の先端が目盛り部３の先端と一致しているので、定規の先端として用いることができることに加え、目印部４自体が（図９に示すような目印部４よりも）一層視認し易くなる。
【００３５】
＜第四実施形態＞
図１０は、本考案に係る眉描補助具の第四実施形態例（符号Ａ４）の外観を表す図である。この第四実施形態例である眉描補助具Ａ４の目盛り部３は、その目盛表示域が所定の間隔ごとに色分けされていることが特徴である。この特徴により、眉描補助具Ａ４は、目盛り部３の距離表示やその感覚を把握し易くなるため、特に、弱視の使用者や視力が衰えた高齢の使用者に特に好適となる。
【００３６】
この図１０に示す例では、目盛り部３は１ｃｍ間隔ごとに交互に色分けされているが、その色分け間隔はこれに限定されることなく、例えば、０．５ｃｍ間隔でもよいし、２．０ｃｍ間隔でもよい。また、色分けは複数の色を用いて行ってもよい。なお、色分けは、目盛り部３自体に行なったり、あるいは、目盛り部３を透明材料で形成しておき、そこから透けて見える棒状体１に色分けを施したりしてもよい。
【００３７】
＜第五実施形態＞
図１１は、本考案に係る眉描補助具の第五実施形態例（符号Ａ５）の外観を表す図である。第五実施形態例である眉描補助具Ａ５は、手持ち部２の一部に、平らな扁平面２１を備えることが特徴である。この扁平面２１を手持ち部２に設けることによって、前記棒状体１を指の腹でつまみ易くなるという利点がある。
【００３８】
加えて、眉描補助具Ａ５では、前記扁平面２１と同じ方向を向くように目盛り部３が配置された構成を採用することにより、前記扁平面２１を指でつまむようにして眉描補助具Ａ５を持つと、前記目盛り部３が正面を向き易くなるという利点が生まれる。つまり、使用者が化粧時に対峙している鏡の方向か、あるいは顔の方向に目盛り部３が向き易くなる。これにより、使用者が眉描補助具Ａ５を手で持つときに、前記扁平面２１を意識して持つようにするだけで、前記目盛り部３の向きを鏡の方向に合わせる作業が軽減される。
【００３９】
眉描補助具Ａ５の前記扁平面２１は、円柱体である前記棒状体１を例に挙げれば、該棒状体１に連設された同円柱体であるの手持ち部２の一部を、例えば、削ったり、押しつぶしたりする等したり、予め扁平に成形された手持ち部２を棒状体１に結合させたりしてもよい。
【００４０】
＜第六実施形態＞
図１２は、本考案に係る眉描補助具の第六実施形態例（符号Ａ６）の外観を表す図である。この図１２に表される、第六実施形態例である眉描補助具Ａ６は、手持ち部２に備えられた前記扁平面２１が、対向する表裏関係にある一対の扁平面２１ａ,２１ｂが設けられていることが特徴である。換言すると裏表関係にあると言える一対の扁平面２１ａ,２１ｂを有することによって、使用者が手持ち部２を持とうとする際に、この扁平面２１ａ，２１ｂを挟むように自然に指でつまんで持つように仕向けることができる。
【００４１】
加えて、この眉描補助具Ａ６では、一対の目盛り部３,３が、前記扁平面２１ａ，２１ｂのそれぞれと同じ方向を向くように配置されていることも特徴である。即ち、対向する目盛り部３，３も扁平面２１ａ，２１ｂと同じ対向関係になっている。このため、使用者が手持ち部２を自然に手で持つと（指でつまむと）、指の腹は自ずと対向関係にある一対の扁平面２１ａ，２１ｂに当たることになる。その結果、一対ある目盛り部３，３のいずれか一方が鏡側に必ず向くようになる。このため、眉描補助具Ａ６を使用する時には、使用者は目盛り部３，３の向きを気にする必要が全く無くなるので、使用者にとって大変便利である。
【００４２】
＜第七実施形態＞
図１３は、本考案に係る眉描補助具の第七実施形態例（符号Ａ７）の外観を表す図である。第七実施形態例である眉描補助具Ａ７に設けられた手持ち部２は、この図１３に示されているように、前記棒状体１よりも幅広に形成されており、その結果、扁平面２２が外観視へら状（棒状体１の直径又は幅を超える幅を有する、扁平状をなす手持ち部２の形状）を呈して設けられている。このようなへら状を呈する扁平面２２の場合は、さらに使用者が指で安定して持ち易くなる。加えて、前記棒状体１が円柱体のようを形態であっても、この扁平面２２がストッパーとなって、眉描補助具Ａ７を机上や化粧台上に置いたときの転がりを防止することができるという利点も生まれる。さらに、あえて図示はしないが、眉描補助具Ａ７は、第六実施形態Ａ６のように、対向する裏表関係にある一対の扁平面がへら状を呈して設けられていてもよい。
【００４３】
＜第八実施形態＞
続いて、図１４は、本考案に係る眉描補助具の第八実施形態例（符号Ａ８）の外観を表す図である。この図１４に表されている、第八実施形態例である眉描補助具Ａ８は、目盛り部３においてその目盛表示の位置を特定できる標識５が少なくとも一つ設けられていることが特徴である。
【００４４】
眉描補助具Ａ８に前記標識５が存在することにより、使用者が眉Ｍを描く時に、毎回、眉山Ｍｂや眉尻Ｍｃの位置を決める手間を省くことができる。即ち、その使用者にとって好適な眉山Ｍｂや眉尻Ｍｃの位置を、使用者が毎回決め直す作業が不要になるという大きな利点がある。
【００４５】
ここで、標識５は、例えば、ゴム製のリング部材で形成することができる。例えば、ゴム製のリング部材を棒状体１の直径より小さく形成しておくことにより、棒状体１に標識５を拡径させて装着したときには、該棒状体１を締め付ける作用を発揮させることができるので、標識５の位置を固定できるという利点がある。
【００４６】
前記標識５は、このようなゴム製のリング部材に限定されることがなく、粘着シールやクリップなどを採用してもよい。標識５には、眉山Ｍｂを指し示すように、上方を指し示す形状やデザインを付してもよい。標識５は、棒状体１に対してスライドできるように可動可能にしてもよい。
【００４７】
図１５は、本考案の第八実施形態例である眉描補助具Ａ８の使用例を説明する図である。この図１５において示すように、眉描補助具Ａ８は、眉頭Ｍａの位置に目印部４を合わせ、水平に配置する。このとき、棒状体１の目盛り部３の領域に装着された二つの標識（ここでは、ゴム製リングを例示）５１，５２をそれぞれ眉山Ｍｂ、眉尻Ｍｃに合わせて位置決めしておくようにする。これにより、それ以後、使用者は、眉の眉山Ｍｂや眉尻Ｍｃの位置決めを毎回行う必要がなくなる。
【００４８】
また、前記標識５は、眉頭Ｍａの位置を把握する際に利用してもよい。図１６は、眉描補助具Ａ８について眉頭Ｍａを決める際の使用例を説明する図である。まず、顎先（顎の最下点）ｔ１から小鼻ｎの最下点ｎ３までの距離Ｌ１と該最下点ｎ３から眉頭Ｍａまでの距離Ｌ２が等しくなるように（Ｌ１＝Ｌ２となるように）眉頭Ｍａの高さ（位置）を決めると、バランスの良い眉Ｍを描くことができる。
【００４９】
具体的には、まず、使用者は、眉描補助具Ａ８の目印部４が下に（顎ｔ側に）くるように持ち、このときの目印部４の先端を顎ｔの顎先（顎の最下点）ｔ１に合わせ、そしてこの状態で前記小鼻ｎの最下点ｎ３の位置に一致する目盛り部３に標識５１を固定する。次に、使用者は、眉描補助具Ａ８の目印部４が上（頭側）を向くように持ち直し、前記標識５１を前記小鼻ｎの最下点ｎ３の位置に合わせ、続いて標識５２を顎先（顎の最下点）ｔ１の位置に固定する。このような操作を行うことで、標識５２から標識５１までの距離（つまり、顎先（顎の最下点）ｔ１から小鼻ｎの最下点ｎ３までの距離）Ｌ１と、標識５１から目印部４までの距離（つまり、小鼻ｎの最下点ｎ３から眉頭Ｍａまでの距離）Ｌ２が等しくなる。即ち、顎先（顎の最下点）ｔ１から小鼻ｎの最下点ｎ３までの距離Ｌ１を基準として標識５１,５２が等間隔に目盛り部３に配置されることになる。例えば、このような方法によって、標識５１,５２のそれぞれの目盛り部３における配置箇所を予め調整しておくことにより、眉頭Ｍａの好適な位置を一層容易に見出すことが可能となる。
【００５０】
また、使用する標識５が一つの場合でも、眉頭Ｍａの位置決めは可能である。例えば、使用者は、眉描補助具Ａ８を目印部４が上にくるように真っ直ぐに持ち、目印部４を小鼻ｎの最下点ｎ３の位置に合わせる。このとき、顎ｔの顎先（顎の最下点）ｔ１の位置に一致する目盛り部３に標識５１を固定する。次に、使用者は、眉描補助具Ａ８を真っ直ぐ持ったまま、標識５１を小鼻ｎの最下点ｎ３と同じ高さになるように移動させると、目印部４は眉頭Ｍａの好適な高さを示すようになる。つまり、顎先（顎の最下点）ｔ１から小鼻ｎの最下点ｎ３までの距離Ｌ１と等しくなる、小鼻ｎの最下点ｎ３から眉頭Ｍａまでの距離Ｌ２をとることができる。
【００５１】
図１７は、本考案に係る眉描具Ｂの実施形態例を説明する図である。この図１７には、本考案の第一〜第八実施形態例である眉描補助具Ａ１〜Ａ８の構成を備える眉描具Ｂが例示されている。
【００５２】
この図１７に示された眉描具Ｂは、眉メイク用の眉描具を構成する棒状体部分（軸棒部分）に本考案に係る眉描補助具Ａの構成を備えている。例えば、眉描具Ｂは、眉メイク道具の代表例である化粧筆、化粧ブラシ、ペンシル型アイブローなどを挙げることができる。図１６（Ａ）は、眉メイク用の化粧筆Ｂ１の一例、同図（Ｂ）は眉メイク用の化粧ブラシＢ２の一例、同図（Ｃ）は、眉メイク用のペンシル型アイブローＢ３の一例をそれぞれ表している。
【００５３】
このような眉描具Ｂを採用することによって、化粧筆、化粧ブラシ、ペンシル型アイブローなどの機能に、本考案に係る眉描補助具の機能を合体させることができる。このように眉描補助具Ａの機能が眉メイク用の化粧筆Ｂ１などと一体となっていることは、特に、日常的に眉メイクを行う使用者にとっては利便性が高い。それは、使用者が保有する化粧ポーチなどに収容された数ある化粧道具の中から化粧筆などとは別に用意された眉描補助具Ａをわざわざ探す手間が省けるからである。
【００５４】
図１７において、眉描補助具Ａが組み込まれる眉描具Ｂとして、化粧筆Ｂ１、化粧ブラシＢ２、ペンシル型アイブローＢ３が挙げられているが、これに限定されず、眉を実際に描くことができる機能を持っている道具であればよい。
【００５５】
眉描補助具Ａの目盛り部３は、図１７に示すように、化粧筆Ｂ１、化粧ブラシＢ２、ペンシル型アイブローＢ３のそれぞれの軸棒部分に形成し、目印部４は、同軸棒部分などの先端（筆、ブラシ、アイブロー部分とは反対側の端部）に形成し（図１７参照）、手持ち部２については、軸棒の根本部分、あるいは筆、ブラシ、アイブロー部分を軸棒に固定するために用いられるサック部（特に、図示せず。）等に形成してもよく、この場合、手に持ち易く、かつ目盛り部３の向きがわかり易いように扁平なサック形状としてもよい。このように眉描補助具Ａの機能が、眉メイク用の化粧筆Ｂ１、化粧ブラシＢ２、ペンシル型アイブローＢ３などと一体となっていることで、使用者が眉を描くときに、眉描具Ｂと眉描補助具Ａを持ち替える手間を省くことができる。
【符号の説明】
【００５６】
１ 棒状体
１Ａ 棒状体１の一端部
１Ｂ 棒状体１の他端部（先端部）
２ 手持ち部
３ 目盛り部
４ 目印部
５（５１,５２）標識
２１（２１ａ，２１ｂ） 扁平面
２２  へら状の扁平面
Ａ  眉描補助具
Ａ１〜Ａ８ 本考案の第一〜第八実施形態例である眉描補助具
Ｂ  眉描具
Ｂ１  化粧筆
Ｂ２  化粧ブラシ
Ｂ３  ペンシル型アイブロー
Ｅ１  目頭
Ｅ２  黒目
Ｅ２ａ 黒目の端
Ｅ３  目尻
Ｈ  使用者の手
Ｋ  口角の端
Ｍ  眉
Ｍａ  眉頭
Ｍｂ  眉山
Ｍｃ  眉尻
Ｌ１ 顎先から小鼻の最下点までの距離
Ｌ２  小鼻の最下点から眉頭までの距離
ｎ  小鼻
ｎ１ 小鼻ｎの外側部分との接点
ｎ２ 小鼻ｎの水平方向の中心
ｎ３ 小鼻ｎの最下点
ｔ  顎
ｔ１ 顎先（顎の最下点）
【図１】
0003227577.tif 000003
【図２】
0003227577.tif 000004
【図３】
0003227577.tif 000005
【図４】
0003227577.tif 000006
【図５】
0003227577.tif 000007
【図６】
0003227577.tif 000008
【図７】
0003227577.tif 000009
【図８】
0003227577.tif 000010
【図９】
0003227577.tif 000011
【図１０】
0003227577.tif 000012
【図１１】
0003227577.tif 000013
【図１２】
0003227577.tif 000014
【図１３】
0003227577.tif 000015
【図１４】
0003227577.tif 000016
【図１５】
0003227577.tif 000017
【図１６】
0003227577.tif 000018
【図１７】
0003227577.tif 000019